(57)【要約】【課題】硝子体手術の際における術者にとっての操作性向上を図ることができる眼科手術器具を提供する。【解決手段】眼科で行われる手術に用いられる眼科手術器具１を、眼内に挿入される針状の眼内挿入部２と、術者が手指で持つために外形が棒状に形成されたハンドル部３と、前記眼内挿入部２と前記ハンドル部３の各中心軸Ａ２，Ａ３が非同軸となるように各々を複数箇所の屈曲部を有した略クランク状に接続する接続部５と、を備えて構成する。【選択図】図１
2014050433.tif 000002
【特許請求の範囲】
【請求項１】
眼科で行われる手術に用いられる眼科手術器具であって、
眼内に挿入される針状の眼内挿入部と、
術者が手指で持つために外形が棒状に形成されたハンドル部と、
前記眼内挿入部と前記ハンドル部の各中心軸が非同軸となるように各々を複数箇所の屈曲部を有した略クランク状に接続する接続部と、
を備えることを特徴とする眼科手術器具。
【請求項２】
前記接続部は、前記眼内挿入部と前記ハンドル部の各中心軸を平行にオフセットさせた状態で接続するものである
ことを特徴とする請求項１記載の眼科手術器具。
【請求項３】
前記接続部は、前記眼内挿入部と前記ハンドル部のオフセット量が、前記ハンドル部を持つ指の大きさを考慮して決定された所定値に設定されている
ことを特徴とする請求項２記載の眼科手術器具。
【請求項４】
前記ハンドル部および前記接続部には、前記眼内挿入部を通じて流体を吸引または排出するための流体通路が内蔵されており、
前記ハンドル部には、当該ハンドル部を持つ指で前記流体の吸引圧または排出圧を調整するための調整弁が設けられている
ことを特徴とする請求項１から３のいずれか１項に記載の眼科手術器具。
【発明の詳細な説明】
【技術分野】
【０００１】
本発明は、眼科手術（特に硝子体手術）に用いられる眼科手術器具に関する。
【背景技術】
【０００２】
眼科で行われる硝子体手術は、新生血管が増殖した結果、網膜だけではなく硝子体にまで血管が形成された段階で行われる手術であり、例えば増殖糖尿病網膜症、増殖硝子体網膜症、黄斑円孔、黄斑上膜、糖尿病黄斑浮腫、網膜静脈閉塞症に伴う黄斑浮腫等の難治性眼疾患の治療のために行われる。硝子体手術には、種々の眼科手術器具が使用される。
【０００３】
硝子体手術で使用される眼科手術器具は、以下に述べるように構成されたものが多い。すなわち、硝子体手術で使用される眼科手術器具は、２０〜２５ゲージ（Ｇ）程度の針によって形成されて眼内に挿入される眼内挿入部と、術者が手指で持つための柄となるハンドル部とを備えている。そして、眼内挿入部とハンドル部の各中心軸が同軸となるような状態で、ハンドル部の一端側から眼内挿入部が真っ直ぐに延びるように取り付けられて構成されている（例えば、特許文献１参照）。
【０００４】
このような眼科手術器具の一つとして、バックフラッシュニードルがある（例えば、特許文献２（特に段落００１１）参照）。バックフラッシュニードルは、網膜剥離時に残存硝子体の吸引や網膜に癒着した血液を除去して吸引するために使用される手術器具である。そのために、バックフラッシュニードルは、眼内挿入部の先端部分に、樹脂製のブラシが取り付けられている。
【先行技術文献】
【特許文献】
【０００５】
【特許文献１】特表２００８−５００８４１号公報
【特許文献２】特開２０１０−９９２０８号公報
【発明の概要】
【発明が解決しようとする課題】
【０００６】
しかしながら、本願発明者は、バックフラッシュニードルをはじめとする従来構成の眼科手術器具では、硝子体手術での使用に際して、以下に述べるような難点が生じてしまうことに気が付いた。
【０００７】
例えばバックフラッシュニードルを硝子体手術で使用する際には、眼球の強膜に装着されるトロカールカニューレが有する孔部を通して、そのバックフラッシュニードルの眼内挿入部を眼内に挿入する。このとき、狭い孔部に細い眼内挿入部を挿入することになるため、眼内挿入部の先端をトロカールカニューレの孔部に挿入し難かったり、挿入の際に眼内挿入部先端のブラシを変形させたりする可能性が生じてしまい、結果としてバックフラッシュニードルの操作性が悪化してしまうという難点がある。
【０００８】
本発明は、以上に述べた難点を解消し、術者にとっての操作性向上を図ることができる眼科手術器具を提供することを目的とする。
【課題を解決するための手段】
【０００９】
上述した目的達成のために、本願発明者は、先ず、操作性悪化の要因について検討した結果、それは術者のバックフラッシュニードルのハンドル部を持つ手指によって、術者の視界が一時的に遮られることに起因することに気が付いた。このように術者の視界が一時的に遮られてしまうのは、眼内挿入部がハンドル部から真っ直ぐに延びており、眼内挿入部とハンドル部の各中心軸が同軸となるような状態にあるためと考えられる。このことから、本願発明者は、眼内挿入部とハンドル部の各中心軸が非同軸となる状態にあれば良いのではないかとの着想を得た。
ただし、単に各中心軸を非同軸となる状態にするだけでは、必ずしも操作性向上が図れるとは限らない。例えば、眼内挿入部とハンドル部との間に単に一つの屈曲部を介在させて接続した場合には、各中心軸が非同軸とはなるが、眼内挿入部の眼内への挿入方向または挿入後の移動方向とハンドル部を持つ術者の手指の操作方向とが懸け離れてしまい、結果として術者が操作時に違和感を覚えてしまうおそれがある。
この点につき、本願発明者は、さらに鋭意検討を重ね、眼内挿入部とハンドル部とを略クランク状に接続すれば、各中心軸が非同軸となる状態にしつつ、眼内挿入部の挿入方向または挿入後の移動方向とハンドル部の操作方向とが懸け離れてしまうのを抑制することができ、術者にとっての操作性を向上させ得るのではないかとの新たな着想に至った。ここでいう「略クランク状」については、その詳細を後述する。
このような新たな着想に基づき、本願発明者は、以下に述べる課題解決手段に想到した。この新たな着想に基づいてなされた本発明の態様は、以下のとおりである。
【００１０】
本発明の第１の態様は、眼科で行われる手術に用いられる眼科手術器具であって、眼内に挿入される針状の眼内挿入部と、術者が手指で持つために外形が棒状に形成されたハンドル部と、前記眼内挿入部と前記ハンドル部の各中心軸が非同軸となるように各々を複数箇所の屈曲部を有した略クランク状に接続する接続部と、を備えることを特徴とする眼科手術器具である。
本発明の第２の態様は、第１の態様に記載の発明において、前記接続部は、前記眼内挿入部と前記ハンドル部の各中心軸を平行にオフセットさせた状態で接続するものであることを特徴とする。
本発明の第３の態様は、第２の態様に記載の発明において、前記接続部は、前記眼内挿入部と前記ハンドル部のオフセット量が、前記ハンドル部を持つ指の大きさを考慮して決定された所定値に設定されていることを特徴とする。
本発明の第４の態様は、第１から第３のいずれか１態様に記載の発明において、前記ハンドル部および前記接続部には、前記眼内挿入部を通じて流体を吸引または排出するための流体通路が内蔵されており、前記ハンドル部には、当該ハンドル部を持つ指で前記流体の吸引圧または排出圧を調整するための調整弁が設けられていることを特徴とする。
【発明の効果】
【００１１】
本発明によれば、眼科手術の際の術者にとっての操作性向上を図ることができる。
【図面の簡単な説明】
【００１２】
【図１】本発明が適用されたバックフラッシュニードルの一構成例を示す説明図である。
【図２】バックフラッシュニードルの使用態様の一例を示す説明図であり、（ａ）は本発明が適用されたバックフラッシュニードルの使用態様を例示する図、（ｂ）は従来構成のバックフラッシュニードルの使用態様を例示する図である。
【図３】バックフラッシュニードルの他の使用態様の一例を示す説明図であり、（ａ）は本発明が適用されたバックフラッシュニードルの使用態様を例示する図、（ｂ）は従来構成のバックフラッシュニードルの使用態様を例示する図である。
【図４】本発明が適用されたバックフラッシュニードルの他の構成例を示す説明図である。
【発明を実施するための形態】
【００１３】
以下、図面に基づき本発明に係る眼科手術器具について説明する。
本実施形態では、眼科手術器具としてバックフラッシュニードルを例に挙げて、以下の順序で項分けをして説明を行う。
１．本実施形態のバックフラッシュニードルの構成例
２．眼科手術の概要
３．眼科手術でのバックフラッシュニードルの使用手順
４．本実施形態の効果
５．変形例等
【００１４】
＜１．本実施形態のバックフラッシュニードルの構成例＞
図１は、本発明が適用されたバックフラッシュニードルの一構成例を示す説明図である。
図例のように、本実施形態で説明するバックフラッシュニードル１は、大別すると、眼内挿入部２と、ハンドル部３と、連結部４と、接続部５と、を備えて構成されている。
【００１５】
（眼内挿入部）
眼内挿入部２は、硝子体手術の際に眼内に挿入される部分である。そして、眼内に挿入された状態で灌流液の排出や眼内物質の吸引等を行い得るように、眼内挿入部２は、真っ直ぐに延びる金属製の２０〜２５ゲージ（Ｇ）程度の針状に形成されている。また、眼内挿入部２の先端部分には、樹脂製のブラシ２ａが取り付けられている。
【００１６】
（ハンドル部）
ハンドル部３は、硝子体手術を行う術者が手指で持つための柄となる部分であり、その外形が真っ直ぐに延びる棒状に形成されている。また、ハンドル部３は、棒状部分が中空構造を有しており、眼内挿入部２を通じて流体を吸引または排出するための流体通路３ａを内蔵している。つまり、ハンドル部３は、術者が持ち易い外形形状の筒状（例えば円筒状）に形成されており、その筒内に流体通路３ａを内蔵している。流体通路３ａは、例えば樹脂製チューブによって形成することが考えられる。
【００１７】
ハンドル部３の構成筒には、その一部分に、内蔵する流体通路３ａを露出させるための窓部３ｂが設けられている。窓部３ｂからは、流体通路３ａが外方に膨出するように露出している。そして、窓部３ｂによる流体通路３ａの露出部分には、ハンドル部３を持つ術者の指で流体の吸引圧または排出圧を調整するための調整弁３ｃが設けられている。調整弁３ｃは、流体通路３ａの内外を連通させる開孔を有しており、その開孔を術者の指で塞いだ状態で流体通路３ａを潰す方向に押圧したり、あるいはその開孔を開放したりすることで、流体通路３ａ内の流体の吸引圧または排出圧の調整を可能にするように構成されている。
【００１８】
なお、ハンドル部３には、術者が手指で持つことを考慮した外形加工（例えば手指が滑り難くするための加工）が施されていてもよい。
【００１９】
（連結部）
連結部４は、眼内挿入部２とは反対側のハンドル部３の端縁から延びるように形成されたものであり、ハンドル部３が内蔵する流体通路３ａと灌流吸引装置等の外部装置またはシリンジ等の外部器具（ただし、いずれも不図示）との間を連結するためのものである。なお、連結部４は、流体通路３ａと外部装置または外部器具との連結が不要である場合には設けられていなくてもよい。
【００２０】
（接続部）
接続部５は、眼内挿入部２とハンドル部３を接続する部分である。この接続部５の介在によって、眼内挿入部２とハンドル部３は、一体に形成された一つのバックフラッシュニードル１を構成することになる。また、接続部５は、流体を吸引または排出するための流体通路５ａを内蔵している。この流体通路５ａは、一端が眼内挿入部２に連通しており、他端がハンドル部３の流体通路３ａに連通している。したがって、バックフラッシュニードル１は、眼内挿入部２、流体通路３ａ，５ａおよび連結部４を通じて、灌流液の排出や眼内物質の吸引等を行い得るのである。
【００２１】
ただし、接続部５は、針状に形成された眼内挿入部２の中心軸Ａ２と、筒状（外形棒状）に形成されたハンドル部３の中心軸Ａ３とが、互いに非同軸となるように、眼内挿入部２とハンドル部３を接続する。ここで「非同軸」とは、各中心軸Ａ２，Ａ３が一致しないこと（すなわち同軸ではないこと）をいう。
【００２２】
さらに、接続部５は、眼内挿入部２とハンドル部３を略クランク状に接続する。ここで「略クランク状」とは、複数箇所の屈曲部を有し、かつ、屈曲方向が互いに反する方向である屈曲部を含む形状のことをいう。したがって、ここでいう「略クランク状」は、直角に曲がる屈曲部が二つ交互に繋がるクランク形状に限られることはなく、当該クランク形状の他に、例えば直角以外の角度で曲がる屈曲部を有するもの、反する方向に曲がる各屈曲部における屈曲角度が互いに相違するもの、三つ以上の屈曲部を有するもの等についても含まれるものとする。
【００２３】
以上のように、接続部５は、各中心軸Ａ２，Ａ３が非同軸となるように眼内挿入部２とハンドル部３を略クランク状に接続する。したがって、「略クランク状」に該当すれば眼内挿入部２とハンドル部３は様々な態様によって接続され得るが、本実施形態で例に挙げる接続部５は、眼内挿入部２の中心軸Ａ２とハンドル部３の中心軸Ａ３とを平行にオフセットさせた状態で接続しているものとする。ここでいう「平行」は、各中心軸Ａ２，Ａ３をどこまで延長しても交わらない状態、または技術常識的にこれと同等に扱える状態のことである。また、ここでいう「オフセット」は、ある距離を介在させた状態で一方の中心軸と他方の中心軸とが互いに離れて配置されていることを意味する。
【００２４】
また、接続部５は、ハンドル部３の中心軸Ａ３に対する眼内挿入部２の中心軸Ａ２のオフセット方向が、当該ハンドル部３における調整弁３ｃの膨出方向と同方向となるように、各中心軸Ａ２，Ａ３を平行にオフセットさせている。
【００２５】
そして、各中心軸Ａ２，Ａ３のオフセット量（図中におけるＬ１参照）については、ハンドル部３を持つ術者の指の大きさを考慮して決定された所定値に設定されているものとする。さらに詳しくは、ハンドル部３を持つ術者の指のうち、眼内挿入部２のオフセット方向に位置することになる指、具体的には調整弁３ｃを操作する指となる人差し指（第二指、示指）の大きさ（厚さ）を考慮して、これと同程度の大きさの値を所定値として決定し、その決定した所定値の分だけ眼内挿入部２とハンドル部３とがオフセットするように、それぞれの各中心軸Ａ２，Ａ３のオフセット量Ｌ１が設定されているものとする。例えば、成人の人差し指の厚さは１０〜１５ｍｍ程度なので、各中心軸Ａ２，Ａ３のオフセット量Ｌ１は、１０ｍｍ以上１５ｍｍ以下の範囲内、好ましくは１１．５ｍｍ±０．５ｍｍの範囲内に属するように設定することが考えられる。
【００２６】
なお、各中心軸Ａ２，Ａ３に沿った方向における眼内挿入部２やハンドル部３等の具体的な大きさ（サイズ）等については、特に限定されるものではなく、適宜設定されたものであればよい。
【００２７】
＜２．眼科手術の概要＞
次に、本実施形態のバックフラッシュニードル１を用いて行う眼科手術の概要を簡単に説明する。ここでは、眼科で行われる硝子体手術を例に挙げる。
【００２８】
硝子体手術を行う場合に、その硝子体手術の術者は、患者に対する麻酔を行った後、その患者の眼球の強膜の複数箇所に穴を開け、それぞれの穴にトロカールカニューレを装着する。各トロカールカニューレは、バックフラッシュニードル１をはじめとする各種の眼科手術器具等を、眼球内に挿入するためのものである。
【００２９】
また、硝子体手術では、患者の眼球における眼底を観察するために、広角観察システムを使用する。具体的には、広角観察システムの構成部品である前置レンズを、患者の眼球の角膜と対峙する位置に配置して、その眼球における眼底の観察を可能にする。
【００３０】
このような状況下で、硝子体手術の術者は、一つのトロカールカニューレの孔部に眼科手術器具を挿入して、眼球内の硝子体を取り出す（吸い出す）とともに、眼球の形態を保つための灌流液（人工の透明な液体）を眼球内に注入する。この灌流液は、硝子体の液状成分の代わりとなるものである。
【００３１】
そして、硝子体手術の術者は、他の一つのトロカールカニューレの孔部に光ファイバー器具を挿入して眼球内を照らしつつ、さらに他のトロカールカニューレの孔部にバックフラッシュニードル１を挿入して、例えば残存硝子体の吸引や網膜に癒着した血液の除去吸引等の処理を行う。
【００３２】
硝子体手術は、以上のような手順を経て行われる。
【００３３】
＜３．眼科手術でのバックフラッシュニードルの使用手順＞
次に、以上のような手順の硝子体手術において、本実施形態のバックフラッシュニードル１を使用する際の手順を、さらに詳しく説明する。
【００３４】
図２は、バックフラッシュニードルの使用態様の一例を示す説明図である。
硝子体手術において、バックフラッシュニードル１を使用する際には、眼内挿入部２を眼内に挿入すべく、その眼内挿入部２の先端側をトロカールカニューレの孔部に通す必要がある。
【００３５】
その場合に、従来構成のバックフラッシュニードルでは、図２（ｂ）に示すように、ハンドル部１３を持つ術者の人差し指Ｆによって当該術者の視線Ｅが遮られ、眼内挿入部１２の先端付近の視認性が悪くなってしまう。つまり、自分の人差し指Ｆに邪魔されて眼内挿入部１２の先端付近が見え難い状態になってしまい、その結果としてトロカールカニューレの孔部に通す際の操作性悪化を招いてしまい得る。
【００３６】
この点、本実施形態のバックフラッシュニードル１では、図２（ａ）に示すように、接続部５が眼内挿入部２とハンドル部３を略クランク状に接続しており、眼内挿入部２の中心軸Ａ２とハンドル部３の中心軸Ａ３とがオフセットしているので、そのオフセット部分に術者の人差し指（調整弁３ｃを操作する指）Ｆが入り込んで収納されたような状態になる。そのため、術者の人差し指Ｆによって当該術者の視線Ｅが遮られてしまうことがなく、眼内挿入部２の先端付近の視認性が悪くなってしまうこともない。つまり、術者は、眼内挿入部２の先端付近を目視しながら、その眼内挿入部２の先端側をトロカールカニューレの孔部に通すことができるようになる。
【００３７】
しかも、本実施形態のバックフラッシュニードル１は、接続部５が眼内挿入部２とハンドル部３の各中心軸Ａ２，Ａ３を平行にオフセットさせているため、眼内挿入部２を眼内に挿入する際の当該眼内挿入部２の移動方向と、その際におけるハンドル部３の移動方向とが、いずれも同方向となる。つまり、術者は、眼内挿入部２の眼内への挿入方向と同方向にハンドル部３を移動させながら、その眼内挿入部２の先端側をトロカールカニューレの孔部に通すことができるようになる。また、眼内挿入部２の眼内への挿入後においても、眼内挿入部２とハンドル部３は、同方向に向けて動くことになる。
【００３８】
図３は、バックフラッシュニードルの他の使用態様の一例を示す説明図である。
硝子体手術において、バックフラッシュニードル１を眼内に挿入した後は、例えば眼内物質の吸引等のために、眼内挿入部２の先端におけるブラシ２ａを眼底に沿って移動させる必要が生じることがある。
【００３９】
その場合に、従来構成のバックフラッシュニードルでは、図３（ｂ）に示すように、ハンドル部１３またはハンドル部１３を持つ術者の手指（ただし不図示）が、広角観察システムの構成部品である前置レンズＣと干渉し、眼内挿入部１２の先端のブラシ１２ａが移動し得る範囲（すなわちバックフラッシュニードルの可動範囲）が制限されてしまう。具体的には、前置レンズＣとの干渉によって、特に眼内挿入部１２を挿入したトロカールカニューレに近い側への移動が物理的に制限されてしまう。そのため、眼内挿入部１２の先端の移動は図中θ２の範囲内に制限されてしまい、その結果として眼内物質の吸引等を行う際の操作性悪化を招いてしまい得る。
【００４０】
この点、本実施形態のバックフラッシュニードル１では、図３（ａ）に示すように、接続部５が眼内挿入部２とハンドル部３を略クランク状に接続しており、眼内挿入部２とハンドル部３の各中心軸Ａ２，Ａ３がオフセットしているので、そのオフセット量の分だけ広角観察システムの前置レンズＣとの干渉が生じ難くなる。そのため、眼内挿入部２の先端のブラシ２ａの移動可能範囲は、上述した従来構成の場合に比べると、特に眼内挿入部２を挿入したトロカールカニューレに近い側の部分が拡がる。つまり、眼内挿入部２の先端のブラシ２ａの移動可能範囲が図中θ１の範囲まで拡がるので、術者は、その広がった移動可能範囲の全域について眼内物質の吸引等の処理を行うことができるようになる。
【００４１】
バックフラッシュニードル１を使用して眼内物質の吸引処理を行う場合、術者は、先ず、バックフラッシュニードル１のハンドル部３を手指で持ち、そのハンドル部３における調整弁３ｃの開孔を人差し指で塞いだ状態で流体通路３ａを潰す方向に当該調整弁３ｃを押圧し、その状態で眼内挿入部２の先端側をトロカールカニューレの孔部に通して当該眼内挿入部２を眼内に挿入する。そして、眼内挿入部２の先端のブラシ２ａを眼底の所望位置まで移動させた後、調整弁３ｃの押圧力を弱めて、潰れていた流体通路３ａを元に戻す。これにより流体通路３ａ内には負圧が生じるので、眼内挿入部２の先端位置付近に存在する眼内物質は、眼内挿入部２を通して流体通路３ａ内に吸引されることになる。なお、連結部４にシリンジ等の外部器具が連結している場合には、その外部器具が発揮する吸引力を利用して眼内物質の吸引を行うことも考えられる。
【００４２】
また、バックフラッシュニードル１を使用して眼内への流体供給（例えば灌流液の排出）を行う場合、術者は、上述した吸引処理とは逆の手順で処理を行う。具体的には、先ず、予めハンドル部３の流体通路３ａ内に灌流液等の球体を保持している状態で、眼内挿入部２の先端側をトロカールカニューレの孔部に通して当該眼内挿入部２を眼内に挿入する。そして、眼内挿入部２の先端を眼内の所望位置まで移動させた後、調整弁３ｃの開孔を開放し、あるいは調整弁３ｃに押圧力を加える。これにより流体通路３ａ内には正圧が生じるので、流体通路３ａ内に保持していた流体は、眼内挿入部２を通して眼内に排出されることになる。なお、連結部４にシリンジ等の外部器具が連結している場合には、その外部器具が発揮する加圧力を利用して眼内への流体供給を行うことも考えられる。
【００４３】
以上のような手順でバックフラッシュニードル１を使用しつつ、術者は、患者に対する硝子体手術を行うのである。なお、以上の説明で挙げなかった事項については、公知の硝子体手術で用いられる器具や手順と同様であるため、ここではその説明を省略する。
【００４４】
＜４．本実施形態の効果＞
本実施形態で説明したバックフラッシュニードル１によれば、以下のような効果が得られる。
【００４５】
本実施形態のバックフラッシュニードル１は、眼内挿入部２とハンドル部３の各中心軸Ａ２，Ａ３が非同軸となるように、接続部５が眼内挿入部２とハンドル部３を略クランク状に接続している。そのため、略クランク状のオフセット部分に術者の指が入り込んで収納されたような状態になるので、眼内挿入部２の先端付近の視認性が悪くなってしまうことがなく、術者がその先端付近を目視しながら眼内挿入部２の先端側をトロカールカニューレの孔部に通すことができる。つまり、術者にとっては眼内挿入部２の先端をトロカールカニューレの孔部に挿入し易くなり、また挿入の際に眼内挿入部２の先端のブラシ２ａを変形させてしまう可能性が非常に低くなる。
【００４６】
また、眼内挿入部２を眼内に挿入した後においても、接続部５が眼内挿入部２とハンドル部３を略クランク状に接続しており、眼内挿入部２とハンドル部３の各中心軸Ａ２，Ａ３がオフセットしているので、そのオフセット量の分だけ広角観察システムの前置レンズＣ等との干渉が生じ難くなる。そのため、従来構成の場合に比べると眼内挿入部２の先端のブラシ２ａの移動可能範囲が拡がるので、術者は、その広がった移動可能範囲の全域について眼内物質の吸引等の処理を行うことができるようになる。
【００４７】
しかも、接続部５は、単に一つの屈曲部を介在させるのではなく、眼内挿入部２とハンドル部３を略クランク状に接続することで、これらの各中心軸Ａ２，Ａ３を非同軸にしている。そのため、眼内挿入部２の眼内への挿入方向または挿入後の移動方向とハンドル部３を持つ術者の手指の操作方向とが懸け離れてしまうことがなく、術者が操作時に違和感を覚えてしまうのを抑制することができる。
【００４８】
これらのことから、本実施形態のバックフラッシュニードル１によれば、従来構成の場合に比べると、術者にとっての操作性向上を図ることができる。
【００４９】
特に、本実施形態のバックフラッシュニードル１は、接続部５が眼内挿入部２とハンドル部３の各中心軸Ａ２，Ａ３を平行にオフセットさせている。つまり、眼内挿入部２の移動方向等とハンドル部３の操作方向とが単に懸け離れないようにするだけではなく、それぞれが同方向となるようにしている。したがって、術者が操作時に違和感を覚えてしまうのを確実に抑制することができ、より一層の操作性向上を図ることができる。
【００５０】
さらに、本実施形態のバックフラッシュニードル１は、眼内挿入部２とハンドル部３の各中心軸Ａ２，Ａ３のオフセット量Ｌ１について、術者の指の大きさを考慮して決定された所定値に設定されており、より詳しくは調整弁３ｃを操作する人差し指Ｆと同程度の大きさの値を所定値としている。つまり、術者の人差し指Ｆが入り込んで収納されたような状態になるオフセット量を確保しつつ、眼内挿入部２の中心軸Ａ２がハンドル部３の中心軸Ａ３から極力離れ過ぎないようにしている。このように、眼内挿入部２とハンドル部３の各中心軸Ａ２，Ａ３を平行にオフセットさせつつ、そのオフセット量Ｌ１を術者の指Ｆの大きさを基準にして設定することは、術者にとっての操作性向上を図る上で最も好適な態様であると言える。
【００５１】
また、本実施形態のバックフラッシュニードル１は、術者が指Ｆで操作する調整弁３ｃが形成されている場合に、その調整弁３ｃが形成されている方向とハンドル部３からの眼内挿入部２のオフセット方向とが一致している。そのため、眼内挿入部２とハンドル部３の各中心軸Ａ２，Ａ３をオフセットさせる場合であっても、術者にとって極めて自然な操作感を実現することができ、この点でも術者にとっての操作性向上を図ることができる。
【００５２】
＜５．変形例等＞
以上に本発明の実施形態を説明したが、上述した開示内容は、本発明の例示的な実施形態を示すものである。すなわち、本発明の技術的範囲は、上述の例示的な実施形態に限定されるものではない。
以下に、上述した実施形態以外の変形例について説明する。
【００５３】
（バックフラッシュニードルの変形例）
図４は、本発明が適用されたバックフラッシュニードルの他の構成例を示す説明図である。
【００５４】
例えば、上述した実施形態では、眼内挿入部２とハンドル部３の各中心軸Ａ２，Ａ３のオフセット量Ｌ１が術者の指の大きさを基準にして設定されている場合を例に挙げたが、オフセット量の大きさがこれに限定されることはなく、少なくとも術者の人差し指Ｆが入り込んで収納されたような状態になる大きさを確保したものであればよい。したがって、例えば図４（ａ）に示すように、眼内挿入部２とハンドル部３の各中心軸Ａ２，Ａ３のオフセット量Ｌ２は、成人の人差し指の厚さ（例えば１０〜１５ｍｍ程度）を超える大きさ（例えば１７．５ｍｍ±０．５ｍｍの範囲内に属する量）に設定されていてもよく、このような構成例の場合であっても従来構成に比べると術者にとっての操作性向上を図ることができる。
【００５５】
また、上述した実施形態では、接続部５が眼内挿入部２とハンドル部３の各中心軸Ａ２，Ａ３を平行にオフセットさせている場合を例に挙げたが、各中心軸Ａ２，Ａ３は必ずしも平行である必要はない。つまり、接続部５は、眼内挿入部２とハンドル部３を略クランク状に接続するものであればよく、ここでいう略クランク状には眼内挿入部２とハンドル部３の各中心軸Ａ２，Ａ３が平行でない場合も含む。したがって、例えば図４（ｂ）に示すように、接続部５は、略クランク状を構成するための二つの屈曲部における屈曲角度が互いに相違しており、眼内挿入部２とハンドル部３の各中心軸Ａ２，Ａ３を平行ではない状態に接続するものであってもよい。このような構成例の場合であっても、略クランク状のオフセット部分に指が入り込んで収納されたような状態になり、しかも単に一つの屈曲部を介在させた場合とは異なり眼内挿入部２の先端方向と術者の操作方向とが懸け離れてしまうことがないので、術者にとっての操作性向上を図ることができる。
【００５６】
（眼科手術器具の変形例）
上述した実施形態では、本発明が適用される眼科手術器具の一つとしてバックフラッシュニードル１を例に挙げているが、硝子体手術で使用するために眼内に挿入される針状の眼内挿入部と術者が手指で持つ棒状のハンドル部とを備えて構成されたものであれば、バックフラッシュニードル１以外にも本発明を適用することが可能である。
【００５７】
本発明を適用可能なバックフラッシュニードル１以外の眼科手術器具としては、例えば、眼内挿入部の先端部分に鉗子が取り付けられたマイクロ鉗子、眼内挿入部の先端部分に剪刀が取り付けられたマイクロ剪刀、眼内挿入部の先端部分に異物掃き取り用の接触子が取り付けられたダイヤモンドスイーパー、眼内挿入部の先端部分に鉤爪が取り付けられたメンブレンピック等が挙げられる。これらの眼科手術器具についても、眼内挿入部とハンドル部の各中心軸が非同軸となるように各々を略クランク状に接続すれば、術者にとっての操作性向上を図ることができる。
【００５８】
つまり、本発明を適用可能な眼科手術器具は、針状の眼内挿入部と棒状のハンドル部とを備えたものであればよい。その場合に、眼内挿入部は、針状のものであれば、中空針状であってもよいし、中実針状であってもよい。ハンドル部についても、棒状のものであれば丸棒状や角棒状等のように外形形状が特に限定されるものではなく、また筒状（中空状）であってもよいし、中実状であってもよい。
【符号の説明】
【００５９】
１…バックフラッシュニードル、２…眼内挿入部、２ａ…ブラシ、３…ハンドル部、３ａ…流体通路、３ｂ…窓部、３ｃ…調整弁、４…連結部、５…接続部、５ａ…流体通路、Ａ２，Ａ３…中心軸、Ｃ…前置レンズ、Ｅ…視線、Ｆ…指（人差し指）
【図１】
2014050433.tif 000003
【図２】
2014050433.tif 000004
【図３】
2014050433.tif 000005
【図４】
2014050433.tif 000006